(57)【要約】【課題】フェース部の肉厚が小さいながらも充分な耐衝撃強度を有し、このために重量を大きくすることなく体積を大きくすることが可能であり、しかも、ＦＲＰが脱落する懸念もないゴルフクラブヘッドを提供する。【解決手段】ゴルフクラブヘッド１０は、ヘッド本体１２と、フェース部材１４とを有する。このうち、フェース部材１４は、ＳＵＳ６３０や１８Ｎｉマルエージング鋼等、比重が７以上である金属材からなり、かつその周縁部に突出壁部２８を有する。そして、該フェース部材１４には、ヘッド本体１２の内壁面を臨む内面に、炭素繊維強化プラスチック（ＣＦＲＰ）３０が接着されている。なお、フェース部材１４は、突出壁部２８を介してヘッド本体１２に接合されている。【選択図】図２
2004329544.tif 000002
【特許請求の範囲】
【請求項１】
中空状のヘッド本体にゴルフボールを打球するためのフェース部が設けられたゴルフクラブヘッドにおいて、
前記フェース部は比重が７以上の金属材からなり、前記フェース部の前記ヘッド本体側の内面には、繊維強化プラスチックが接着により接合されていることを特徴とするゴルフクラブヘッド。
【請求項２】
請求項１記載のゴルフクラブヘッドにおいて、前記繊維強化プラスチックを構成する繊維は、炭素繊維であることを特徴とするゴルフクラブヘッド。
【請求項３】
請求項１または２記載のゴルフクラブヘッドにおいて、前記フェース部は前記ヘッド本体と別部材であることを特徴とするゴルフクラブヘッド。
【請求項４】
請求項３記載のゴルフクラブヘッドにおいて、前記フェース部は、前記ヘッド本体側に突出する突出壁部を周縁部に有することを特徴とするゴルフクラブヘッド。
【請求項５】
請求項１〜３のいずれか１項に記載のゴルフクラブヘッドにおいて、前記繊維強化プラスチックが前記フェース部の周縁部を除く部位に接着により接合されていることを特徴とするゴルフクラブヘッド。
【請求項６】
請求項１または２記載のゴルフクラブヘッドにおいて、前記フェース部は前記ヘッド本体と一体的に形成され、前記ヘッド本体は、フェース部以外の部位で分割して形成されることを特徴とするゴルフクラブヘッド。
【発明の詳細な説明】
【０００１】
【発明の属する技術分野】
本発明は、ゴルフクラブヘッドに関し、一層詳細には、フェース部が軽量かつ耐衝撃強度に優れるゴルフクラブヘッドに関する。
【０００２】
【従来の技術】
内部が中空状であるゴルフクラブヘッドの一例として、ウッド型ゴルフクラブヘッドが挙げられる。このようなウッド型ゴルフクラブヘッドは、例えば、ＳＵＳ６３０（ステンレス鋼のＪＩＳ規格）や高抗張力鋼等、高強度を示し、かつ比重が７以上の金属材から形成されている。この場合、比重が７未満の金属材、例えば、チタン合金からなり、体積および肉厚が同一であるウッド型ゴルフクラブヘッドに比して、慣性モーメントを大きくすることができるという利点がある。
【０００３】
しかしながら、比重が７以上である金属材を使用すると、肉厚が大きい場合、ウッド型ゴルフクラブヘッドの重量も大きくなってしまう。このため、スイートエリアを大きくするべくウッド型ゴルフクラブヘッドを大型化する際には、肉厚を小さくしなければ軽量化を図ることができなくなる。
【０００４】
ところが、肉厚を過度に小さくすると、ゴルフボールを打球した際の耐衝撃強度が小さくなってしまう。このため、ゴルフクラブヘッドに破損が生じることが懸念される。
【０００５】
このような事態が生じることを回避するために、比重が７以上である金属材を使用してゴルフクラブヘッドを形成する場合、その肉厚は、重量が過度に大きくならず、かつ耐衝撃強度が過度に小さくなることのない寸法に設定される。
【０００６】
しかしながら、この場合、チタン合金からなるゴルフクラブヘッドに比して体積が小さなゴルフクラブヘッドしか得られない。このようなゴルフクラブヘッドを使用するプレイヤーは、該ゴルフクラブヘッドの体積が小さいために理想的な打球ができないことを懸念する傾向にあるので、正確にスイングすることが困難となる。
【０００７】
また、ゴルフボールを打球するフェース部の耐衝撃強度を向上させるべく該フェース部の肉厚を大きくすると、ゴルフクラブヘッドとしては、打球する側の重量が大きくなる。換言すれば、重心がフェース部に近接するゴルフクラブヘッドとなる。この場合、いわゆる重心深度が小さくなった状態となるので、スイートエリアが小さくなるという不具合を招く。
【０００８】
そして、この場合、スイートエリアを大きくするべくゴルフクラブヘッドの後方に重錘を設置すると、ゴルフクラブヘッドの重量が大きくなってしまう。
【０００９】
このように、比重が７以上である金属材でゴルフクラブヘッドを形成した場合、該ゴルフクラブヘッドのスイートエリアを大きくすることが困難であるという不具合がある。
【００１０】
ところで、特許文献１には、金属材からなるアイアンヘッドの裏面に平坦部を有する凹部を設け、前記平坦部に厚さ１．０〜５．０ｍｍの硬化済繊維強化プラスチック（ＦＲＰ）を添設することが提案されている。
【００１１】
【特許文献１】
特公平４−６５７０８号公報（第４欄第４行〜第１５行）
【００１２】
【発明が解決しようとする課題】
しかしながら、特許文献１においては、前記凹部に嵌合されたリング状の固定部材によって硬化済ＦＲＰをアイアンクラブヘッドに固定するようにしているため、ゴルフボールの打球を繰り返すと、その衝撃によって固定部材および硬化済ＦＲＰが凹部から脱落してしまうことが懸念される。
【００１３】
本発明は上記した技術に関連してなされたもので、フェース部の肉厚が小さいながらも充分な耐衝撃強度を有し、このために重量を大きくすることなく体積を大きくすることが可能であり、しかも、ＦＲＰが脱落する懸念もないゴルフクラブヘッドを提供することを目的とする。
【００１４】
【課題を解決するための手段】
前記の目的を達成するために、本発明は、中空状のヘッド本体にゴルフボールを打球するためのフェース部が設けられたゴルフクラブヘッドにおいて、
前記フェース部は比重が７以上の金属材からなり、前記フェース部の前記ヘッド本体側の内面には、繊維強化プラスチックが接着により接合されていることを特徴とする。
【００１５】
このような金属材を使用した場合、フェース部の肉厚を小さくすることができる。さらに、高強度および高弾性率を示す繊維強化プラスチック（ＦＲＰ）によってフェース部が強靱に支持されるので、フェース部の肉厚が小さい場合であっても、打球時にフェース部が損傷することを回避することができる。
【００１６】
しかも、フェース部の肉厚を小さくすることができるので、該フェース部、ひいてはゴルフクラブヘッドの重量を小さくすることができる。または、フェース部が軽量化された分、例えば、ヘッド本体のソール部の重量を大きくして重心を低い位置とすることができ、この場合、打球時にゴルフボールの打ち出しが高くなるので、大きな飛距離が得られる。
【００１７】
さらに、フェース部の面積を大きくすることに伴ってゴルフクラブヘッドの体積を大きくすることによっても、スイートエリアを大きくすることができる。
【００１８】
なお、ＦＲＰを構成する繊維の好適な例としては、炭素繊維を挙げることができる。すなわち、ＦＲＰとしては、炭素繊維強化プラスチック（ＣＦＲＰ）が好ましい。ＣＦＲＰは、フェース部を支持する機能に特に優れるからである。
【００１９】
なお、本発明においては、フェース部とヘッド本体とを別部材とすることもできる。
【００２０】
この場合、フェース部の周縁部に、ヘッド本体側に突出する突出壁部を設けることが好ましい。この突出壁部をヘッド本体に接合するようにすれば、例えば、溶接により接合を行う場合であっても、フェース部に接着されたＦＲＰが熱の影響を受けることを回避することができる。
【００２１】
または、ＦＲＰをフェース部の周縁部を除く部位に接着により接合するようにしてもよい。すなわち、ヘッド本体に対するフェース部の溶接箇所を避けてＦＲＰを接着することにより、ヘッド本体とフェース部とを溶接する際に該ＦＲＰが熱の影響を受けることを回避することができる。
【００２２】
あるいは、フェース部とヘッド本体とを一体的に形成するようにしてもよい。この場合、ヘッド本体を、フェース部以外の部位で分割形成し、その分割部分からフェース部にＦＲＰを接着すればよい。
【００２３】
【発明の実施の形態】
以下、本発明に係るゴルフクラブヘッドにつき好適な実施の形態を挙げ、添付の図面を参照して詳細に説明する。
【００２４】
本発明の第１実施形態に係るゴルフクラブヘッドの概略分解斜視図を図１に示すとともに、その縦断面図を図２に示す。このゴルフクラブヘッド１０は、中空状のヘッド本体１２と、断面略コ字形状のフェース部材１４とが互いに接合されてなる。
【００２５】
ヘッド本体１２は、ソール部１６と、該ソール部１６から延在して湾曲した側周部１８と、天井部であるクラウン部２０と、図示しないシャフトが嵌合されるホーゼル部２２とが一体的に形成された部材である。なお、図１中の参照符号２４、２６は、それぞれ、トゥー部、ヒール部を示す。
【００２６】
ヘッド本体１２の形成材料の好適な例としては、ＳＵＳ６３０や、１８Ｎｉマルエージング鋼、高抗張力鋼が挙げられる。なお、高抗張力鋼としては、特開平７−１３６３００号公報に開示された合金鋼、すなわち、０．０２〜０．２重量％のＣ、０．０５〜１．０重量％のＳｉ、０．０５〜１．０重量％のＭｎ、３．０〜８．０重量％のＮｉ、１０．０〜２５．０重量％のＣｒ、３．０〜８．０重量％のＭｏ、１０．０〜２０．０重量％のＣｏを含み、残部がＦｅおよび不可避的に混入する不純物であり、かつその金属組織の主体がマルテンサイトである合金鋼が例示される。
【００２７】
この合金鋼は、一般的なステンレス鋼に比して抗張力が著しく大きい。このため、必要な強度を維持しながらヘッド本体１２を薄肉化することができる。換言すれば、肉厚が小さいながらも破損が生じ難いヘッド本体１２を構成することができる。
【００２８】
肉厚が小さいヘッド本体１２は、必然的に重量も小さい。このため、ヘッド本体１２、ひいてはゴルフクラブヘッド１０の重量を小さくすることもできる。
【００２９】
または、側周部１８やクラウン部２０を軽量化した分、例えば、ソール部１６の重量を大きくすることにより、ゴルフクラブヘッド１０の重心の位置を低くするための重量配分を行うようにしてもよい。勿論、ヘッド本体１２の形成材料に比してさらに高比重の重錘（図示せず）を側周部１８やソール部１６に設置して重量配分を行うようにしてもよい。
【００３０】
ヘッド本体１２は、例えば、鋳造加工によって作製することができる。
【００３１】
フェース部材１４は、その周縁部に形成された突出壁部２８を有し、したがって、その断面は、上記したように略コ字形状である。
【００３２】
このフェース部材１４は、比重が７以上である金属材からなる。そして、該フェース部材１４におけるヘッド本体１２の内周壁に臨む面（内面）には、図３に示すように、突出壁部２８を除いて、炭素繊維強化プラスチック（ＣＦＲＰ）３０が接着されている。
【００３３】
フェース部材１４の形成材料である金属材の好適な例としては、ＳＵＳ６３０、１８Ｎｉマルエージング鋼、前記合金鋼（高抗張力鋼）が挙げられる。このうち、合金鋼を使用した場合、フェース部材１４の肉厚を１．０〜２．５ｍｍ程度と、一般的なフェース部材に比して小さく設定することができる。すなわち、ゴルフクラブヘッド１０を一層軽量なものとすることができるので好適である。
【００３４】
なお、フェース部材１４は、肉厚が一定であるものに特に限定されることはなく、中央部が厚く周縁部が薄いものであってもよいし、中央部が薄く周縁部が厚いものであってもよい。
【００３５】
フェース部材１４は、鋳造加工、鍛造加工、プレス成形加工等の公知の成形法によって作製することができる。
【００３６】
一方、ＣＦＲＰ３０は、高強度および高弾性率を示す。このため、フェース部材１４に接着されたＣＦＲＰ３０は、ゴルフボールを打球した際にフェース部材１４とともに容易に変形し、かつ変形したフェース部材１４を強靱に支持する。すなわち、フェース部材１４にＣＦＲＰ３０を接着することにより、フェース部材１４の肉厚が小さい場合であっても、打球時に該フェース部材１４が損傷することを回避することができる。
【００３７】
ＣＦＲＰ３０中の炭素繊維は、引張強度が高いものであることが好ましい。この場合、炭素繊維が少量であってもフェース部材１４が強靱に支持される。したがって、フェース部材１４にＣＦＲＰ３０を接着することに伴ってゴルフクラブヘッド１０の重量が大きくなることを確実に回避することができる。
【００３８】
ＣＦＲＰ３０は、例えば、炭素繊維の一方向性プリプレグまたは織物プリプレグを複数層に積層した後、硬化されてなる。このように予め作製されたＣＦＲＰ３０をフェース部材１４に接着する場合、フェース部材１４の内面またはＣＦＲＰ３０の接合面の少なくともいずれか一方を粗面加工することが好ましい。これにより、例えば、フェース部材１４とＣＦＲＰ３０とを接着剤で接合する場合、接着強度を大きくすることができる。なお、粗面加工は、サンドブラストを使用する等、公知の手法によって遂行すればよい。
【００３９】
炭素繊維の一方向性プリプレグを使用する場合、炭素繊維の長手方向が、ソール部１６からクラウン部２０に沿う方向（図１における矢印Ａ方向）と、トゥー部２４からヒール部２６に沿う方向（図１における矢印Ｂ方向）との２方向となるようにしてもよい。さらに、矢印Ａおよび矢印Ｂに対して４５°、１３５°の角度で交差する矢印Ｃ方向および矢印Ｄ方向にも長手方向が延在するように炭素繊維を配置してもよい。延在方向を増加させるほどＣＦＲＰ３０の異方性を低下させることができるが、ゴルフクラブヘッド１０の重量増加を回避するため、延在方向は最大でも８方向とすることが好ましい。
【００４０】
または、ＣＦＲＰ３０をフェース部材１４の内面上で作製するようにしてもよい。すなわち、炭素繊維にエポキシ樹脂等の合成樹脂を含浸させ、次に、この炭素繊維をフェース部材１４の内面上で積層する。その後、合成樹脂を硬化させれば、該合成樹脂を介してフェース部材１４の内面に接着されたＣＦＲＰ３０が得られるに至る。換言すれば、この場合、ＣＦＲＰ３０の作製と、該ＣＦＲＰ３０のフェース部材１４への接着とを同時に遂行することができる。
【００４１】
ゴルフクラブヘッド１０は、このようなＣＦＲＰ３０が接着されたフェース部材１４とヘッド本体１２とが互いに接合されてなる。具体的には、フェース部材１４の突出壁部２８と、ヘッド本体１２の前端開口部３２とが、溶接、ロウ付けまたは接着等によって接合される。この際、フェース部材１４は、ＣＦＲＰ３０が接合された面がヘッド本体１２の内壁面に臨むように接合される。
【００４２】
この場合、フェース部材１４の突出壁部２８、すなわち、フェース部材１４におけるヘッド本体１２との接合部には、ＣＦＲＰ３０が接合されていない。このため、フェース部材１４とヘッド本体１２とを、例えば、溶接によって接合する際においても、ＣＦＲＰ３０が溶接時の熱による影響を受けることがない。
【００４３】
なお、フェース部材１４とヘッド本体１２とが互いに異種の金属から形成されているために溶接が困難である場合、ロウ付けを採用することにより、両部材１２、１４の接合が容易となる。
【００４４】
このように構成されたゴルフクラブヘッド１０では、上記したように、フェース部材１４の内面にＣＦＲＰ３０が接着されている。このため、フェース部材１４の耐衝撃強度を確保しながら肉厚を小さくして面積を大きくすることができるので、ゴルフクラブヘッド１０の体積を大きくしてスイートエリアを大きくすることができる。
【００４５】
または、フェース部材１４の重量を小さくした分、ゴルフクラブヘッド１０のソール部１６の重量を大きくして重心の位置を低くすることもできる。
【００４６】
いずれの場合においても、ＣＦＲＰ３０がフェース部材１４に接着されているため、ＣＦＲＰ３０がフェース部材１４から脱落する懸念がない。
【００４７】
次に、本発明の第２実施形態に係るゴルフクラブヘッドの概略分解斜視図を図４に示すとともに、その縦断面図を図５に示す。なお、図１〜図３に示される構成要素については同一の参照符号を付し、その詳細な説明を省略する。
【００４８】
このゴルフクラブヘッド４０は、前端部にフェース部材４２を収容可能な程度の前端開口部４４が設けられた中空状のヘッド本体４６と、前記前端開口部４４を閉塞するフェース部材４２とが互いに接合されてなる。すなわち、第２実施形態においては、フェース部材４２には突出壁部２８が設けられていない。
【００４９】
この場合、図６に示すように、フェース部材４２における打球領域である中央部にのみＣＦＲＰ３０を接着することが好ましい。これにより、フェース部材４２とヘッド本体４６とを溶接する場合であっても、ＣＦＲＰ３０が熱による影響を受けることを回避することができる。
【００５０】
フェース部材４２とＣＦＲＰ３０との接着、およびヘッド本体４６とフェース部材４２との接着は、それぞれ、第１実施形態と同様にして行うようにすればよい。
【００５１】
なお、第２実施形態においては、フェース部材４２の内面全体にＣＦＲＰ３０を接着するようにしてもよい。この場合、フェース部材４２とヘッド本体４６との接合を接着やかしめ止めとすれば、ＣＦＲＰ３０が熱による影響を受けることを回避することができる。
【００５２】
次に、本発明の第３実施形態に係るゴルフクラブヘッドの概略分解斜視図を図７に示すとともに、その縦断面図を図８に示す。なお、図１〜図３に示される部位については同一の参照符号を付し、その詳細な説明を省略する。
【００５３】
このゴルフクラブヘッド５０は、ソール部１６が開口した中空状のヘッド本体５２と、該底面開口部５４を閉塞するソール部材５６とが互いに接合されてなり、ヘッド本体５２にフェース部５８が設けられている。すなわち、第３実施形態においては、ヘッド本体５２とフェース部５８とが一体に形成されている。
【００５４】
この場合、まずヘッド本体５２の底面開口部５４を介してＣＦＲＰ３０をヘッド本体５２内に挿入し、次にフェース部５８の内面にＣＦＲＰ３０を接着した後、ソール部材５６をヘッド本体５２の底面開口部５４に接合すればよい。フェース部５８とＣＦＲＰ３０とは、第１実施形態におけるフェース部材１４とＣＦＲＰ３０との接着に準拠して接合することができ、また、ヘッド本体５２とソール部材５６との接合は、第１実施形態におけるヘッド本体１２とフェース部材１４との接合に準拠して接合することができる。
【００５５】
なお、第１実施形態および第３実施形態において、フェース部材１４またはフェース部５８の内面の全域にＣＦＲＰ３０を接着する必要は特になく、ゴルフボールを打球して変形が大きくなる中央部にのみＣＦＲＰ３０を接着するようにしてもよい。
【００５６】
また、第３実施形態においては、クラウン部２０に開口部を設け、該開口部をクラウン部材で閉塞するようにしてもよい。
【００５７】
勿論、第２実施形態および第３実施形態に係る各ゴルフクラブヘッド４０、５０においても、第１実施形態に係るゴルフクラブヘッド１０と同様の利点が得られる。
【００５８】
なお、いずれの実施形態においても、ＣＦＲＰに代替して、各種の高分子繊維を形成材料とするＦＲＰを使用してもよい。
【００５９】
【実施例】
［実施例１］
０．０２〜０．２重量％のＣ、０．０５〜１．０重量％のＳｉ、０．０５〜１．０重量％のＭｎ、４．０重量％のＮｉ、１５．０重量％のＣｒ、４．０重量％のＭｏ、１５．０重量％のＣｏを含み、残部がＦｅおよび不可避的に混入する不純物である合金鋼を鍛造加工して、打球部の肉厚が１．８ｍｍであり、かつ突出壁部２８を有するフェース部材１４を作製した。
【００６０】
その一方で、炭素繊維の織物プリプレグ（東レ社製のＦ６３４３Ｂ−０５Ｋ）を半径３０ｍｍの円形状に切断したものを２層に積層した後、金型内において、加圧状態下、８０℃で１時間、さらに１３０℃で２時間保持することによってＣＦＲＰ３０を作製した。このＣＦＲＰ３０の一端面を、サンドブラストを使用して粗面加工を施した。
【００６１】
次に、粗面加工されたＣＦＲＰ３０を、接着剤としてケミットエポキシＴＥ２２０２（東レファインケミカル社製の商品名）を介して、フェース部材１４の一端面の中心部に接合した。
【００６２】
このようにしてＣＦＲＰ３０が接着されたフェース部材１４を、前記合金鋼を鋳造加工することによって作製されたヘッド本体１２の前端開口部３２に溶接した後に研磨・塗装して、ゴルフクラブヘッド１０を得た。このゴルフクラブヘッド１０の体積、重量、重心高さおよび重心深度は、それぞれ、３９０ｍｌ、１９５ｇ、２５ｍｍ、３５ｍｍであった。
【００６３】
このゴルフクラブヘッド１０のホーゼル部２２にシャフトを連結してゴルフクラブとし、プロゴルファがゴルフボールを打球したところ、一般的なゴルフクラブに比して打球が容易であり、かつゴルフボールの飛距離も大きく、しかも、打撃音が柔らかいという結果が得られた。
【００６４】
［実施例２］
フェース部５８の肉厚が２．５ｍｍであり、かつソール部１６が開口したヘッド本体５２と、ソール部材５６とを、ＳＵＳ６３０から鋳造加工によってそれぞれ作製した。このうち、ヘッド本体５２におけるフェース部５８の内面に、エポキシ樹脂を含浸させた炭素繊維の一方向プリプレグ（東レ社のＰ２０５３−２０）を、ソール部１６−クラウン部２０に沿う方向およびトゥー部２４−ヒール部２６に沿う方向にそれぞれ２層積層した。その後、この積層体をステンレス鋼板にて加圧した状態で、８０℃で１時間、さらに１３０℃で２時間保持することによってＣＦＲＰ３０を作製するとともに、フェース部５８に接合した。
【００６５】
次に、ヘッド本体５２の底面開口部５４にソール部材５６を溶接した後に研磨・塗装して、ゴルフクラブヘッド５０を得た。このゴルフクラブヘッド５０の体積および重量は、それぞれ、３９０ｍｌ、１９５ｇであった。
【００６６】
このゴルフクラブヘッド５０のホーゼル部２２にシャフトを連結してゴルフクラブとし、スイングロボット装置にセットして、ヘッドスピード５０ｍ／秒でゴルフボールを５００回打球させた。その結果、フェース部５８に凹みや損傷は認められなかった。
【００６７】
比較のため、ＣＦＲＰ３０をフェース部に接合しなかったことを除いては上記と同一構造のゴルフクラブを作製して、ヘッドスピード５０ｍ／秒でゴルフボールを打球させた。この場合、比較的早い段階でフェース部に凹みが生じた。
【００６８】
このことから、ＣＦＲＰ３０をフェース部に接着することによって、フェース部が強靱となることが明らかである。
【００６９】
【発明の効果】
以上説明したように、本発明に係るゴルフクラブヘッドによれば、フェース部に繊維強化プラスチックを接着するようにしている。この繊維強化プラスチックによってフェース部が強靱に支持されるため、該フェース部の肉厚を小さくして軽量化を図ることができる。このようにフェース部を軽量化した分、ソール部の重量を大きくすることによって、ゴルフクラブヘッドの重心を容易に低い位置とすることができる。
【００７０】
または、フェース部の肉厚を小さくして面積を大きくすることによって、スイートエリアが大きいゴルフクラブヘッドとすることができる。
【図面の簡単な説明】
【図１】第１実施形態に係るゴルフクラブヘッドの概略分解斜視図である。
【図２】図１のゴルフクラブヘッドの縦断面図である。
【図３】図１のゴルフクラブヘッドを構成するフェース部材の概略背面図である。
【図４】第２実施形態に係るゴルフクラブヘッドの概略分解斜視図である。
【図５】図４のゴルフクラブヘッドの縦断面図である。
【図６】図３のゴルフクラブヘッドを構成するフェース部材の概略背面図である。
【図７】第３実施形態に係るゴルフクラブヘッドの概略分解斜視図である。
【図８】図７のゴルフクラブヘッドの縦断面図である。
【符号の説明】
１０、４０、５０…ゴルフクラブヘッド
１２、４６、５２…ヘッド本体    １４、４２…フェース部材
１６…ソール部                  ２８…突出壁部
３０…炭素繊維強化プラスチック（ＣＦＲＰ）
５６…ソール部材                ５８…フェース部
【図１】
2004329544.tif 000003
【図２】
2004329544.tif 000004
【図３】
2004329544.tif 000005
【図４】
2004329544.tif 000006
【図５】
2004329544.tif 000007
【図６】
2004329544.tif 000008
【図７】
2004329544.tif 000009
【図８】
2004329544.tif 000010